Podtech/llm-jp-corpus-v4-ja_patent huggingface dataset:
(57)【要約】      （修正有）【課題】硫化水素に対する選択性が高く、取扱いが簡単な硫化水素検知材を提供する。【解決手段】濃度０．８５ｖｏｌ％乃至８．５ｖｏｌ％の多価アルコールに溶解させた銀塩をガス通気性を備えた担体に担持させて構成されている。担体を反応液に浸漬して十分にしみ込んだ段階で、担体を引き上げて、溶媒中のメタノールを室温で蒸発させる。これにより、銀塩を多価アルコールに溶解させた状態で担体に担持させた検知材が完成する。このように構成された検知材は、被検ガス中の硫化水素に晒されると、硫化水素が多価アルコールに溶け込み、同じく多価アルコールに解けている銀塩が硫化水素と反応し、この反応量に対応した硫化銀を生成する。したがって、硫化銀の析出量、つまり硫化水素の濃度は、担体の光学濃度に比例するから、光学濃度を検出することにより簡単に検出できる。【選択図】なし【特許請求の範囲】
【請求項１】
濃度０．８５ｖｏｌ％乃至８．５ｖｏｌ％の多価アルコールに溶解させた銀塩をガス通気性を備えた担体に担持させて構成された硫化水素検知材。
【請求項２】
前記多価アルコールが２ｖｏｌ％乃至５ｖｏｌ％である請求項１に記載の硫化水素検知材。
【請求項３】
前記銀塩が、硝酸銀、過塩素酸銀、パラトルエンスルホン酸銀、硫酸銀から選択された少なくとも１種である請求項１に記載の硫化水素検知材。
【発明の詳細な説明】
【技術分野】
【０００１】
本発明は、環境中の存在する硫化水素を呈色反応により検出するためのガス検知材に関する。
【背景技術】
【０００２】
大気中に存在する硫化水素は、電気化学式ガスセンサーなどにより検出できるものの、電気化学式ガスセンサーは、ガスの選択性が低いため、他のガスが混在する環境では除去用フィルタを必要とするなどの問題がある。
【発明の開示】
【発明が解決しようとする課題】
【０００３】
本発明はこのような問題に鑑みてなされたものであってその目的とするところは、硫化水素に対する選択性が高く、取扱いが簡単な硫化水素検知材を提供することである。
【課題を解決するための手段】
【０００４】
このような課題を達成するために請求項１の発明は、濃度０．８５ｖｏｌ％乃至８．５ｖｏｌ％の多価アルコールに溶解させた銀塩をガス通気性を備えた担体に担持させて構成されている。
【発明の効果】
【０００５】
請求項１の発明によれば、環境中の湿度にかかわり無く、バックグラウンドの変化を防止して正確に硫化水素の濃度を測定することができる。
【発明を実施するための最良の形態】
【０００６】
本発明の詳細を実施例に基づいて説明する。
本発明の検知材は、硫化水素により還元されて金属銀を生成する銀塩を、好ましくは通気性を有する例えばセルロースからなる担体に担持させて構成されている。
【０００７】
硫化水素と反応して金属銀を生成する銀塩としては、硝酸銀、過塩素酸銀、パラトルエンスルホン酸銀、硫酸銀等が存在する。
これらの銀塩を容易に溶解させ、かつ常温における揮発性が極めて低い保水性を有するグリセリン、エチレングリコールなど多価アルコールに溶解させ、その上で、多価アルコールの粘度を低下させて容易に担体に塗布、または含浸させるためにメタノールにより希釈して反応液に調製されている。
【０００８】
担体を反応液に浸漬して十分にしみ込んだ段階で、担体を引き上げて、溶媒中のメタノールを室温で蒸発させる。これにより、銀塩を多価アルコールに溶解させた状態で担体に担持させた検知材が完成する。
【０００９】
このように構成された検知材は、被検ガス中の硫化水素に晒されると、硫化水素が多価アルコールに溶け込み、同じく多価アルコールに解けている銀塩が硫化水素と反応し、この反応量に対応した硫化銀を生成する。したがって、硫化銀の析出量、つまり硫化水素の濃度は、担体の光学濃度に比例するから、光学濃度を検出することにより簡単に検出できる。
【００１０】
ところで、多価アルコールは、吸湿剤でもあるため、被検ガスの水分を吸収する。そして吸収した水分量が多い場合には担体の表面に滲み出て水の層が形成されて、検出器への反射光の光量が減少すること、つまりバックグラウンド値に変化を生じさせることになる。
このようなバックグラウンド値の変化は、直接、指示値として現れるので測定誤差となる。
【００１１】
図１は、担体の多価アルコールの濃度と硫化水素を含まない相対湿度８５％のエアによる支持値、つまりバックグランド値の関係（図中、符号Ａ）、及び相対湿度８５％のエアに所定濃度の硫化水素を含む場合の支持値（図中、符号Ｂ）の変化との関係を調査したもので、多価アルコールが０．８５ｖｏｌ％乃至８．５ｖｏｌ％程度、より好ましくは２ｖｏｌ％乃至５ｖｏｌ％ならば、相対湿度８０％程度までは測定誤差を生じるほどの水の層が形成されてないことがわかる。
【図面の簡単な説明】
【００１２】
【図１】担体に含まれる多価アルコールの濃度と湿度に起因するバックグラウンドとの関係を示すものである。
【図１】
2006343282.tif 000002
(57)【要約】      （修正有） 【課題】視聴覚器のズレ、落脱を抑えるために、肌の接触部位に対して滑り止め効果のあるものに複数の箇所を交換、又は付加する。【解決手段】チューブ形状の滑り止め効果のあるものを付加する場合において、容易に作業できるように、任意の適当な長さに切断された適当な内径のチューブを膨張液の中に入れ、一度膨張させる。次に付加したい任意の部位に挿入し固定する。膨張液が揮発していくごとにチューブは元の形状に戻り固定される。【選択図】図１
2006343564.tif 000002
【特許請求の範囲】
【請求項１】
人が生活する上において動くことにより視聴覚器がより安定装着できるように、接触素材を交換、又は、付加し組み合わせる。鼻と耳の部分で出来る多角形の部位を複数の肌に優しく且つ滑り止め効果を持つ素材に交換、又は付加し組み合わせることにより、メガネがより安定しずれにくくなり、かける負担を軽減することが出来るようになる視聴覚器の滑り止め。
【発明の詳細な説明】
【技術分野】
【０００１】
本発明は視聴覚器のすべり止めに関するものである
【背景技術】
【０００２】
今現在の視聴覚器では、滑り止め機能の付いたものがほとんどなく、生活するうえでの動きにおいて、ズリ下がってくることが多い。ズレると視聴覚器本来の機能を低下するだけではなく、装用者への負担も多くなり快適に装用することが出来なくなる。そのため、
視聴覚器の滑り止めを有していないものに対して、肌の接触部位を肌に優しく且つ滑り止め効果のあるものに容易に交換、又は、付加することにより、視聴覚器がより安定するものが必要である。
【０００３】
容易に滑り止め素材を付加するために、一度素材を膨張させて装着した後に膨張液が揮発することにより、素材が収縮し装着が容易になる。
【発明の開示】
【発明が解決しようとする課題】
【０００４】
視聴覚器のズレ、落脱を抑えるために、肌の接触部位に対して滑り止め効果のあるものに複数の箇所を交換、又は付加する。
【課題を解決するための手段】
【０００５】
チューブ形状の滑り止め効果のあるものを付加する場合において、容易に作業できるように、任意の適当な長さに切断された適当な内径のチューブを膨張液の中に入れ、一度膨張させる。次に付加したい任意の部位に挿入し固定する。膨張液が揮発していくごとにチューブは元の形状に戻り固定される。
【発明の効果】
【０００６】
複数の肌の接触部位を滑り止め効果のある物に交換、又は、付加することにより、滑りにくくなり安定性に優れ、接地面積がふえることにより、落脱の抑制も期待が出来る。金属部位までカバーし付加することにより金属アレルギーの人の肌荒れ防止をすることが可能となる。更に付加することにより、重量バランスを改善することが出来るようになりかけ心地も快適にすることが可能となる。
【発明を実施するための最良の形態】
【０００７】
鼻部分の側パットをシリコン製のものに交換、パット上部が繋がっているタイプのほうがより安定する。テンプル部分は任意の長さに切断された適当な内径の軟性樹脂チューブを膨張液に入れて膨張させてから、耳に接触する部分に挿入し任意の位置に固定する。更に、チューブの長さを長くしてこめかみの部分までカバーすることで金属アレルギー対策にもなる。軽量なフレームであればあるほど重心バランスが後方に移動し、より安定した装用が可能となる。
【実施例１】
【０００８】
鼻部分の側パットをシリコン製のものに交換、パット上部が繋がっているタイプのほうがより安定した。テンプル部分は任意の長さに切断された適当な内径の軟性樹脂チューブを膨張液に入れて膨張させてから、耳に接触する部分に挿入し任意の位置に固定した。更に、チューブの長さを長くしてこめかみの部分までカバーすることで金属アレルギー対策にもなった。軽量なフレームであればあるほど重心バランスが後方に移動し、より安定した装用が可能となった。
【産業上の利用可能性】
【０００９】
上下左右を見る環境において、視聴覚器がずれて不具合な場合に、滑り止め効果による人的作業効率が向上する。また、メガネが安定することにより見え具合が安定する。
【図面の簡単な説明】
【００１０】
【図１】メガネを例にした場合の正面図
【図２】メガネを例にした場合の側面図
【符号の説明】
【００１１】
１  鼻部分の滑り止めの効果のある物に交換する部分
２  耳にかかる部分の滑り止めを付加する部分
３  滑り止めを付加しさらに金属アレルギー対策部分
【図１】
2006343564.tif 000003
【図２】
2006343564.tif 000004
(57)【要約】      （修正有）【課題】長時間ドライブ等においての腰痛緩和器具の提供をする。【解決手段】本発明品は、ドライブ等において、腰痛緩和の目的の用に供する物であり、柔らか過ぎず、硬過ぎない点に配慮したものである。【選択図】図１
2006026268.tif 000002
【特許請求の範囲】
【請求項１】
長時間ドライブ及び、長時間のオフィス仕事で、従来クッションなどで腰を支えていた物に替え、本格的にその用途のみに用いる器具。
【発明の詳細な説明】
【技術分野】
【０００１】
本発明は、ドライブ等における腰痛の緩和に関するものである。
【背景技術】
【０００２】
長時間ドライブ等から生じる腰痛に対し、本器具は、柔らかすぎず、硬すぎず、適度な弾力性で、腰の筋肉及び骨をサポート。
【発明の開示】
【発明が解決しようとする課題】
【０００３】
解決しようとする問題点は、ドライブの際、従来、クッションなどで腰を支えていたが、腰痛の緩和にはならなかった。
【課題を解決するための手段】
【０００４】
本発明は、ドライブ等の際、腰のサポートの用にのみ供する。
【発明の効果】
【０００５】
本発明の器具は、ロープの弾力性と内部に通してある木材により、腰をサポート。
また両脇に取り付けてある板で、横ブレを解消、安定性を持たせた。
【発明を実施するための最良の形態】
【０００６】
可能な限り、軽量、小型化に近ずけた。さらに持ち運び可能とした。
【図面の簡単な説明】
【０００７】
【図１】図１は、本発明品断面図である。
【図２】図２は、実際に、イスに座って、本発明品を使用しているモデル図である。
【図１】
2006026268.tif 000003
【図２】
2006026268.tif 000004
(57)【要約】【課題】効率的に乾燥させて、その強度を高めて割れたり変形しにくくさせて、その性質を改良（改質）させることができる木材改質方法を提供する。【解決手段】木材（竹材・ヤシ類を含む）を炉内で燃焼ガスにより燻煙して表面にカーボンを付着せしめ、該炉内温度を約７０〜１６０℃に制御して該付着したカーボンから遠赤外線を発生せしめ、これにより木材を構成するセルロースおよびこれを固定しているリグニン、ヘミセルロースの各成分を軟化させて水分を蒸発せしめて木材の乾燥収縮を進め、上記各成分の融和が進んで水分低下を確認した後、温度を低下させて乾固させる。【特許請求の範囲】
【請求項１】
木材（竹材・ヤシ類を含む）を炉内で燃焼ガスにより燻煙して表面にカーボンを付着せしめ、該炉内温度を約７０〜１６０℃に制御して該付着したカーボンから遠赤外線を発生せしめ、これにより木材を構成するセルロースおよびこれを固定しているリグニン、ヘミセルロースの各成分を軟化させて水分を蒸発せしめて木材の乾燥収縮を進め、上記各成分の融和が進んで水分低下を確認した後、温度を低下させて乾固させることを特徴とする木材改質方法。
【請求項２】
上記木材内部の温度を約６０〜１００℃付近にまで高めることを特徴とする請求項１に記載の木材改質方法。
【請求項３】
約４８〜１６８時間で処理することを特徴とする請求項１または２に記載の木材改質方法。
【発明の詳細な説明】
【技術分野】
【０００１】
本発明は、木材（竹やヤシ類を含む）の強度等を改質する、木材改質方法に関するものである。
【背景技術】
【０００２】
木材は、セルロース、リグニン、ヘミセルロースから成る主成分と、脂肪、窒素化合物、無機質等から成る副成分と、水分から構成され、水分を除く成分のうちでは上記主成分が９０％を占めている。
従って、木材から水分を蒸発・乾燥せしめたり、強度を高めて割れたり変形しにくくさせて、その性質を改良（改質）させるには、セルロース、リグニン、ヘミセルロースの存在を無視することはできない。
【０００３】
ところで、従来の木材乾燥は、単に水分を低下させるのが目的であって、そのために、乾燥炉内の温度や湿度を調節しながら、１６８〜２４０時間をかけて乾燥させていた。
【０００４】
木材は熱伝導が悪い素材から成るため、以上のように、従来の木材乾燥は時間がかかっていた。
しかし、上記従来の木材乾燥方法では、時間がかかって乾燥能率が低いという問題点があるだけでなく、乾燥後の木材が割れてしまったり、変形して曲がってしまう等の問題点があった。
【発明の開示】
【発明が解決しようとする課題】
【０００５】
本発明が解決しようとする課題は、効率的に乾燥させて、その強度を高めて割れたり変形しにくくさせて、その性質を改良（改質）させることができる木材改質方法を提供することにある。
【課題を解決するための手段】
【０００６】
本発明は、木材（竹材・ヤシ類を含む）を炉内で燃焼ガスにより燻煙して表面にカーボンを付着せしめ、該炉内温度を約７０〜１６０℃に制御して該付着したカーボンから遠赤外線を発生せしめ、これにより木材を構成するセルロースおよびこれを固定しているリグニン、ヘミセルロースの各成分を軟化させて水分を蒸発せしめて木材の乾燥収縮を進め、上記各成分の融和が進んで水分低下を確認した後、温度を低下させて乾固させることを特徴とする。また、上記木材内部の温度を約６０〜１００℃付近にまで高めることを特徴とする。さらに、約４８〜１６８時間で処理することを特徴とす。
【発明の効果】
【０００７】
本発明の木材改質方法によれば、効率的に乾燥させることができるだけでなく、改質後に割れてしまったり、変形して曲がってしまう恐れがない木材を提供することができる、という利点がある。
【発明を実施するための最良の形態】
【０００８】
まず、木材（竹類、ヤシ類を含む）を改質炉内に入れて、該改質炉を密閉し、続いて、該改質炉内に燃焼ガスを導入して充満させる。該燃焼ガスは、廃材等の木質系材料を燃焼させて発生させたガスであって、多くのカーボンを含む。
【０００９】
燃焼ガスを充満させたて加熱乾燥される木材の表面には、カーボンが付着する。また、炉内温度を約７０〜１６０℃に制御することにより、付着したカーボンから遠赤外線が発生する。その結果、木材内部の温度が、約６０〜１００℃、場合によってはそれ以上になる。
【００１０】
上記遠赤外線により木材を構成するセルロースおよびこれを固定しているリグニン、ヘミセルロースの各成分が軟化して、水分蒸発が促進される。
【００１１】
木材は乾燥収縮が進行し、上記セルロース、リグニン、ヘミセルロースの各成分の融和が進む。
水分が所望の含水率（約１０〜４０％）にまで低下したことを確認した後、温度を低下させて乾固させる。
【実施例１】
【００１２】
オイルパーム（油ヤシ）やココナッツヤシ等の繊維が荒くて、放置しておくとタワシのようにバラバラになる材料において、水分を蒸発させながら繊維間を収縮（原木丸太で５〜１０％、挽割り板材で１０〜２０％）させて、セルロース（ヘミセルロースを含む）接着の機能を有するリグニンを軟化させ、セルロース（ヘミセルロースを含む）と融和させ、常温に戻しながら、繊維間を結合せしめ、乾燥固化させる。この結果、割れにくく曲がりにくい製品が得られる。また、高温にするため、防虫・防カビが可能になった。これまで殆ど利用できなかった草木科のヤシ類を一般建築材として家具材等に改良することができた。
【実施例２】
【００１３】
本発明方法により、従来１００年位経過しないと得られなかった高級竹材を、青い竹を約４８時間かけて琥珀色の高級竹材に改良することができる。また、強度が２倍に増して、従来、はじけるように割れ易かった竹が極めて割れ難くなった。
【実施例３】
【００１４】
特に、カラマツのヤニの吹き出しは、製品化してから生じ、これを防止することは困難であったが、本発明方法により、この吹き出しを完全に止めることができただけでなく、反りや曲がりも極めて低く抑えることができた。また、カラマツ材の節は釘も打込めないほど堅かったが、これを改質して釘が打てるようになった。さらに、従来、節が抜け易かったが、抜け難い材質に改良された。
(57)【要約】【課題】経木シートへの染色を可能にすること【解決手段】（ａ）木材をシート状に薄くスライスして経木シートを作成し、（ｂ）その得られた経木シートに（ｉ）尿素、（ｉｉ）重曹（ｉｉｉ）還元防止剤、（ｉｖ）均染剤、及び（ｖ）染料を含み、任意に（ｖｉ）機能性キレート剤を含む染料溶液で染色することを含む着色経木シートの製造方法及び（ｉ）尿素、（ｉｉ）重曹、（ｉｉｉ）還元防止剤、（ｉｖ）均染剤、及び（ｖ）染料を含み、任意に（ｖｉ）機能性キレート剤を含む経木シート用着色剤。【選択図】  なし【特許請求の範囲】
【請求項１】
（ａ）木材をシート状に薄くスライスして経木シートを作成し、
（ｂ）その得られた経木シートに
（ｉ）尿素、
（ｉｉ）重曹
（ｉｉｉ）還元防止剤、
（ｉｖ）均染剤、及び
（ｖ）染料
を含み、任意に（ｖｉ）機能性キレート剤を含む
染料溶液で染色する
ことを含む着色経木シートの製造方法。
【請求項２】
（ｉ）尿素、
（ｉｉ）重曹、
（ｉｉｉ）還元防止剤、
（ｉｖ）均染剤、及び
（ｖ）染料
を含み、任意に（ｖｉ）機能性キレート剤
を含む経木シート用着色剤。
【発明の詳細な説明】
【産業上の利用分野】
【０００１】
本発明は、着色経木シートの製造方法及び経木シートを着色するための着色剤に関する。
【発明が解決すべき課題】
【０００２】
従来木材をシート状に薄くスライスして得た経木シートは納豆，団子等を包む材料として使用されて来た。しかし経木シート自体は縦方向に裂け易くかつ横方向の折曲げによって割れるという性質を有する。納豆，団子等の包装材として使用する限りにおいて、このような欠点はそれほど問題とならない。
【０００３】
しかし現在は多様化の時代である。消費者はすべてのものに新しい素材を要求している。本発明者は多様化した消費者の要望に答えるべく、経木シートの新用途開発に幅広い研究を行なった。しかしここで問題となるのは経木シートの縦方向に裂け易く、横方向の折曲げにより割れるという性質である。特開平３−６９７０８号公報に示す如く、本発明者は経木シートにウレタン樹脂を含侵させることにより、経木シートの縦方向に裂けやすいという欠点は、解消された。
【０００４】
このようなウレタン樹脂含侵経木シートは、例えば玩具や人形折り紙、模型等、アルバム、ノート、手帳等の表紙その他文具用品、電燈用傘、包装紙、或いは壁紙、アコーディオンカーテン、机等の装飾等建築材料、折箱、くず箱、紙箱、菓子、煙草、酒等の容器、包装箱その他等、極めて応用例の広汎なシート状素材として使用できる。
【０００５】
しかし、ここで問題になるのは、経木シートの天然の木目模様である。経木シートの天然の木目模様に着色できれば、ウレタン樹脂含侵経木シートの用途が広がるものである。
しかしながら、従来では、経木シートへの着色は、大変困難であった。
【０００６】
例えば、従来の染色方法である直接染料やオイルステレを使用すると、これらは、木の表面に張り付いているだけなので、直ぐに色落ちする。
【課題を解決すべき手段】
【０００７】
本発明者は、幅広い研究の結果、下記の染料溶液を使用することにより、経木シートに染色できることを発見した。
本発明は、（ａ）木材をシート状に薄くスライスして経木シートを作成し、
（ｂ）その得られた経木シートに
（ｉ）尿素、（ｉｉ）重曹（ｉｉｉ）還元防止剤、（ｉｖ）均染剤、及び（ｖ）染料を含み、任意に（ｖｉ）機能性キレート剤を含む
染料溶液で染色することを含む着色経木シートの製造方法に関する。
【０００８】
本発明は、又（ｉ）尿素、（ｉｉ）重曹、（ｉｉｉ）還元防止剤、（ｉｖ）均染剤、及び（ｖ）染料を含み、任意に（ｖｉ）機能性キレート剤を含む経木シート用着色剤にも関する。
【０００９】
尿素は、染料が湿度を保つために、系を湿った状態に保持するために使用される。尿素は、染色溶液に対し、０．５〜１０％使用されることが好ましい。
重曹は、染料と経木シート中のセルロース繊維とを化学結合させるためである。両者を結合させることにより、染料が色落ちしなくなる。重曹は、染色溶液に対し、０．５〜１０％使用されることが好ましい。
【００１０】
還元防止剤は、木からアクがでる時の防止剤である。還元防止剤は、染色溶液に対し、０．１〜２％使用されることが好ましい。還元防止剤の例は、ニトロベンゼンスルフォン酸ソーダ及びメタニトロベンゼンスルフォン酸ソーダである。
【００１１】
均染剤の例は、アリルアミン系重合体、メタクリルアミン系重合体、アリルメチルアミン系重合体である。均染剤は、染色溶液に対し、０．２〜２％使用されることが好ましい。
【００１２】
機能性キレート剤は、水が悪い時に入れる。機能性キレート剤の例は、アクリル酸化合物である。機能性キレート剤は、染色溶液に対し、０．２〜２％使用されることが好ましい。
【００１３】
染料を溶解するために、公知の染料の溶解剤（例えば、レジスターL、スルフォン酸ソーダ)を添加しても良い。
蒸気がま内に一定時間保持する蒸しは、染色の後、温度をかけて木材繊維を膨脹させて染料を入りやすくする。蒸しは、通常１０〜２０分間行う。
染色溶液の例
【００１４】
（１）緑色の配合例
【表１】
2006026995.tif 000002
【００１５】
（ＩＩ）オレンジ色の配合例
【表２】
2006026995.tif 000003
【００１６】
上記配合例１−１４の溶液各々にさらに温水２０００ｃｃを加えて染色溶液を調製した。
実施例  １
木材をシート状に薄くスライスして得た経木シート（１００枚の重合厚が２５ｍｍ程度のもの）を、上記の染色溶液各々に３０分間浸漬した。その後その経木シートを乾燥した。
【００１７】
蒸しは、１５分間行った。次に乾燥を行った。
得られた着色経木シートをポリウレタンディスパージョンエラストロンＤＰ−２００（第一工業製薬（株）製）の８０％水溶液に５〜１０分間浸漬し、引上げ後１００℃で２〜３分間乾燥し経木シートを得た。この経木シートは木理縦方向に裂けにくく、横方向へ折曲げてもささくれができずかつ折目がつき難い特性を示した。
【００１８】
ウレタン樹脂含侵中もすべてのサンプルにおいて、着色染料が落ちることはなかった。
発明の効果
本発明の着色経木シートは、壁掛け、壁紙、テーブルクロス、アルバム、ノート、手帳等の表紙その他文具用品、電燈用傘、カーテン地、折箱、くず箱、紙箱、菓子、煙草、酒等の容器の表面、包装箱その他等、極めて多方面に使用できる。
(57)【要約】【目的】  鋳造の技術を簡素化し、産業の活性化を計る事を目的とする。【構成】  鋳物を造るときには、その型の原形となる型が必要である。この型のことを木型と呼んできた。木で造っているからである。この木型を合成樹脂で造れば樹脂型となる。発泡スチロールの様な合成樹脂で、鋳物の型を造り鋳型を作成する。そこに金属を流し込んで、鋳物を造る技術である。即ち、いちいち木型を鋳型から取除く必要はない。発泡スチロール等の合成樹脂は熱せられる事で消滅したようになる事から、簡単に鋳物が出来、いちいち砂で造られた鋳型の中から鋳物の原形、即ち、樹脂型を取り出す必要のない鋳造技術を構築する。【選択図】    図１
2006026732.tif 000002
【特許請求の範囲】
【請求項１】
鋳造法で従来の木型を用いて砂型を作る事をせず、木型に代わって発泡スチロールを用いて鋳型を造る鋳造法、及び、技術
【請求項２】
請求項１の鋳造法、及び、技術で発泡スチロールと同様、容易に、熱に溶解する他の合成樹脂等を、木型に代わって用いる鋳造法、及び、技術。
【発明の詳細な説明】
【発明の詳細な説明】
【産業上の利用分野】
【０００１】  本発明は、現在の産業に直結した、ありとあらゆる機械、及び、それらの機械等を造る加工機械等に用いられる鋳造物の諸部品の製造方法に関するものである。
【背景技術】
【０００２】  従来、鋳造技術には、色々のノウハウが語られてきた。ドロドロに溶融した金属、いわゆる湯の事であるが、その含有炭素料、含有不純物、鋳造温度、又、砂型を形成する砂の種類、又、鋳造時に於ける砂の含水率等々、一般論を述べてもきりがない程であるが、常に、鋳造に於いて、欠くべからざる物が、木型の存在であった。【０００３】  この木型は鋳造によって形成する金属物、いわゆる鋳物の型を決めるものである。即ち鋳造により溶融したドロドロの金属を、この木型により形成された砂型に流し込んで行く。後、自然と冷えて固まり、形成されたものが鋳物である。これは、当然、木型と同様の型をしている。【０００４】  木型を砂で取り囲むようにし、砂の中に木型を埋め込み、砂型を造って行き、本木型を砂の中から取り出す。砂の中に出来上がった空間、即ち、木型を取り去った後の空間に、ドロドロに溶融した金属を流し込み、鋳物製品を造るのである。これら一連の作業の中で、木型を砂の中から取り去るのが最も困難な作業と言える。【０００５】  木型の回りはすべて砂で取り囲まれており、砂型を形成しているわけであるから、この木型を取り除けば、その時に、全て砂型が破壊され鋳造出来ない。そのため砂型は、上、下、中等々と、もっと細分に分割出来るようになっており、木型の型を砂型としてほぼ留めた状態で、木型を取り除く、当然、木型も作業を容易にするため分割式の物が多いが、これらは、非常に困難な技術であり、職人業と熟練を要する作業である。
【発明が解決しようとする課題】
【０００６】  木型を、取り除く事なく鋳造が出来る事を目的とし、木型の材質を木製品から樹脂製品に変更する事で、職人業や熟練業を不要とし、より早く、精密な鋳物造りを達成する事を目的としている。
【課題を解決するための手段】
【０００７】  上記目的を達成するために、木型の材質は従来の木製品から合成樹脂などの化学製品とする。発泡スチロールのように熱に容易に溶融し、耐圧にも優れているものが好ましい
【０００８】  木型に代わって合成樹脂で造った型（以下樹脂型とする）を砂で囲み、出来た砂型に湯口を造るだけでよい、当然エアー抜き用の穴を設ける事は従来と同様である。木型は、砂型が出来た時点でいちいち取除くものだが、この樹脂型は、いちいち取除く必要がない。その為、砂型が崩れる事なく、精密にでき、且、職人業や熟練工に頼る必要性もなく、精密な鋳造製品などを造る事が出来る。
【作用】
【０００９】
【０００８】に示したが、一連の作業が容易となることから、これと相俟って、大型部品等に於いても鋳物製品が容易にでき、且、その需要等も一段と増大する事が期待される。
【実施例】
【００１０】  図１に従って実施例を模索し、説明する
１は、従来では、木型であるが、本図面では、樹脂型を示している。２は、下側の砂型、３は、上側の砂型で上下分割している。これらの砂型を鋳型と称している。４は、湯口であり、溶かした金属を流し込む穴である。５は、溶けた金属が鋳型に流れ込み易いようにした空気抜きの穴である。本図面は透視図であるため、樹脂型を見る事が出来るが、実際は見えないものである。鋳物を造るため、湯口より溶けた金属を流し込む時、金属の流入を妨害しない様、従来の木型は取除いているが、樹脂型に於いては、流入してきた金属がその熱で樹脂型を溶かすため金属の流入を妨げる事はない。故に、この樹脂型は最後まで取り除く必要はなく強靭な砂型を保ち続け、精密な鋳物を造る事が出来る。
【発明の効果】
【００１１】  本発明は、次のような効果を奏する。
（１）樹脂型をいちいち取除く事がないため、鋳造作業が容易となる。
（２）樹脂型が中に入っているため、砂型が強靭であり、故に、精密な鋳物を造ることができる。
（３）職人や熟練工を必要としないで、より良い鋳物製品を造る事ができる。
（４）その形状が、複雑すぎる事から、鋳物で造りたくても造れない部品などを容易に造り出す事が出来、産業の活性化に大いに貢献できる。
【図面の簡単な説明】
【図１】  樹脂型が砂の中に埋め込まれ、上側砂型と下側砂型に樹脂型の輪郭を造り出し、何時でも湯口より金属を流し込み、鋳物を造る事が出来る鋳型の、斜視透視図である。
【符号の説明】
１．          樹脂型
２．          下側砂型
３．          上側砂型ー
４．          湯口
５．          空気抜き穴
【図１】
2006026732.tif 000003
(57)【要約】【課題】  飲み物を吸いながら表情筋を強化させるストローを提供する。【解決手段】ストローの片方の開口部を閉塞してもう一方の開口部より小さな穴を設けたことを特徴とする表情筋強化ストロー。【選択図】  図１
2006026346.tif 000002
【特許請求の範囲】
【請求項１】
ストローの片方の先端を閉塞して、もう一方の開口部より小さな穴を設けたことを特徴とする表情筋強化ストロー。
【発明の詳細な説明】
【技術分野】
【０００１】本発明は、ストローで飲み物を吸いながら表情筋を強化させるストローに関するものである。
【背景技術】
【０００２】従来、ストローの開口部は飲み物を吸い易くするため適度な大きさに作られていた。
【発明の開示】
【発明が解決しようとする課題】
【０００３】  そのために、次のような問題点があった。
飲み物を吸いながら表情筋を強化させることはほとんど期待できなかった。
本発明は以上の問題点を解決しようとするものである。
【課題を解決するための手段】
【０００４】  ストローの片方の先端を閉塞してもう一方の開口部より小さな穴を設けたことを特徴とする表情筋強化ストローである。
【発明の効果】
【０００５】  ストローの片方の先端を閉塞してもう一方の開口部より小さな穴を設けることにより飲み物が吸いにくくなり通常より大きな力を入れて吸い込もうとする。これにより、頬筋や口唇筋などの表情筋に負荷がかかり表情筋が強化される。その結果、顔の筋肉の輪郭が引き締まる。また、外観上は普通のストローとほとんど同じであるので他人の目に臆することなく表情筋の強化を行うことが出来る。ダイエット目的のみならず、顔面を麻痺した患者さんのリハビリにも役立つ。
【発明を実施するための最良の形態】
【０００６】  以下、本発明の実施の形態について説明する。
ストロー本体（１）の片方の先端を閉塞して、閉塞した面に針で突いた程の穴（２）を設ける。
本発明は以上のような構成からなっている。
本発明を使用するときは、穴（２）を飲み物（３）の入った容器（４）に入れて唇（５）で強く吸い込む。
【図面の簡単な説明】
【０００７】
【図１】本発明の斜視図
【図２】本発明の使用状態を示す斜視図
【図３】本発明の断面図
【符号の説明】
【０００８】    １    ストロー本体
２    穴
３    飲み物
４    容器
５    唇
【図１】
2006026346.tif 000003
【図２】
2006026346.tif 000004
【図３】
2006026346.tif 000005
(57)【要約】【課題】  従来、一定場所での立ち仕事や作業では腰部の負担により疼痛そのものを他のもので抑えたりするような手段しかなかった。【解決手段】  立ち仕事での両足を支える場所に段差をつける事により生理的に腰部の負担を軽減する事が出来る。使用者の好みで左右の高さを向きを変えて使用出来、腰部の痛み等の軽減を狙った足載せ台である。【選択図】図１
2006026348.tif 000002
【特許請求の範囲】
【請求項１】
枠台の片側に段差をつけて、これらの枠に片足をそれぞれ載せて立ち仕事等、キッチンでの皿洗い等に使用し腰痛防止、または腰痛軽減を狙った物である。
【発明の詳細な説明】
【０００１】  本発明は、一定場所での立ち仕事や作業での腰部の負担を軽減できるようにする事を目的とする。
【０００２】  この台は、一定場所での立ち仕事や作業での腰部の負担を軽減できるようにした足載せ台であり、使用者の好みで左右の高さを向きを変えて使用出来、腰部の痛み等の軽減を狙った足載せ台に関するものである。
【０００３】  重量はできるなら軽く、色にあっては特に定めず材質は強化プラスチック等、体重をかけても変形したりつぶれない事が望ましく、安全に使用出来るようにする事が第一である。
【０００４】  従来、一定場所での立ち仕事や作業では腰部の負担により疼痛そのものを他のもので抑えたりするような手段しかなかった。
【０００５】  しかし、このような段違い台を使用すると体重を支える両足の高さが変わる事により腰痛の軽減や腰部の負担軽減が出来るようになる。
【０００６】  サイズは図面に記すが下部には、すべり止めがありすベり止めの材質は特に定めない。
【０００７】  低部となる足載せは、無い物も含まれる。
【図１】
2006026348.tif 000003
【手続補正書】
【提出日】平成16年9月11日(2004.9.11)
【手続補正１】
【補正対象書類名】明細書
【補正対象項目名】全文
【補正方法】変更
【補正の内容】
【発明の詳細な説明】
【０００１】  本発明は、一定場所での立ち仕事や作業での腰部の負担を軽減できるようにする事を目的とする。
【０００２】  この台は、一定場所での立ち仕事や作業での腰部の負担を軽減できるようにした足載せ台であり、使用者の好みで左右の高さを向きを変えて使用出来、腰部の痛み等の軽減を狙った足載せ台に関するものである。
【０００３】  重量はできるなら軽く、色にあっては特に定めず材質は強化プラスチック等、体重をかけても変形したりつぶれない事が望ましく、安全に使用出来るようにする事が第一である。
【０００４】  従来、一定場所での立ち仕事や作業では腰部の負担により疼痛そのものを他のもので抑えたりするような手段しかなかった。
【０００５】  しかし、このような段違い台を使用すると体重を支える両足の高さが変わる事により腰痛の軽減や腰部の負担軽減が出来るようになる。
【０００６】  サイズは図面に記すが下部には、すべり止めがありすべり止めの材質は特に定めない。
【０００７】  低部となる足乗せは、無い物も含まれる。
【図面の簡単な説明】
【０００８】
【図１】  本発明の実施形態を示す腰痛軽減段違い台の立体図
2006026348.tif 000004
2006026348.tif 000005
(57)【要約】      （修正有）【課題】  日本式の鍼治療に関して、鍼を指で固定しながら徐々に体内へ刺入する方法が広く行われている。医療上の感染防止と安全性面から、体内に挿入する治療器具は、滅菌された清潔な器具が使用されるのが通常である。指で鍼を固定しながらも鍼体自体には直接触れることはなく、無菌状態で体内に刺入できる治療用鍼を提供する。【解決手段】  鍼体２に外筒（マイクロチューブ）１を装着することで、指で鍼を固定しながらも鍼体自体には直接触れることはなく、無菌状態で鍼を体内に刺入できるようにした。【選択図】図１
2006026341.tif 000002
【特許請求の範囲】
【請求項１】
鍼体よりも短く、適度にフィットした外筒（マイクロチューブ）を鍼体に装着することを特徴とした治療用の鍼。
【請求項２】
前記の外筒（マイクロチューブ）は、ストッパーにより鍼体を固定されながらもスムーズにその内腔を鍼がスライドするのが特徴で、これを請求項１記載の治療用鍼に装着していること。
【発明の詳細な説明】
【技術分野】
【０００１】  この発明は、治療用鍼の形状に関するものである。
【背景技術】
【０００２】  近年、医療上の感染防止と安全性面から、体内に挿入する治療器具は、滅菌された清潔な器具が使用されている。しかし、鍼治療に関しては、伝統的な手法に則り、刺し入れられる鍼を指で固定しながら徐々に体内へ刺入する方法が広く行われている。そのため、本発明では、指で鍼を固定しながらも鍼体自体には直接触れることはなく、無菌状態で体内に刺入できる治療用鍼を開発した。
【発明の開示】
【発明が解決しようとする課題】
【０００３】  無菌状態で鍼治療を実施するために、鍼体に外筒（マイクロチューブ）を装着した治療用鍼を開発した。外筒は鍼体よりも短いのが特徴であり、これを用いることで鍼刺入時に鍼体を指で直接触れずに施術することが可能となった。
【課題を解決するための手段】
【０００４】  以上の課題を解決するために、第一発明は、鍼体よりも短く、適度にフィットした外筒（マイクロチューブ）を装着することを特徴とした治療用鍼を発明した。
また、第二発明は、鍼体を固定しながらもスムーズにその内腔を鍼がスライドするのを特徴とした外筒（マイクロチューブ）の発明である。外筒（マイクロチューブ）は鍼の太さを明示するために、太さに応じて異なる色をデザインするものである。
【発明の効果】
【０００５】  第一発明、または第二発明によれば、鍼治療時に鍼体を指で直接触れずに体内へ刺入することが可能となり、無菌状態で鍼治療を実施することが可能となった。
また、外筒（マイクロチューブ）によって、鍼体が固定されてもいるため、体内に刺入しやすくなったという特徴も合わせ持つ。
さらに、長さ４０ｍｍの鍼に、長さ２０ｍｍの外筒（マイクロチューブ）を装着すれば、刺入深度は最大２０ｍｍに制限される。これによって、必要以上に体内に深く鍼が刺入されることはなく、安全に鍼治療が施術できるようになった。
【発明を実施するための最良の形態】
【０００６】  この発明の一実施形態を、図１に示す。
治療用鍼体（２）の材質は、ステンレス、銀、金などであるが、これに装着する外筒（マイクロチューブ）（１）の材質は、おもにポリエチレン、プラスチックなどである。しかしその目的から、鍼体よりも短く、適度にフィットすればその材質に制限はない。
鍼治療時に鍼を固定するための指が外筒（マイクロチューブ）（１）を挟み込む為に、鍼体を触れなくてすむのが特徴であり、そのため外筒（マイクロチューブ）（１）の長さは挟み込む指の幅に合わせて１５ｍｍ〜２５ｍｍとした。
さらに、外筒（マイクロチューブ）（１）が容易に鍼体から抜け落ちないように、外筒の外側からくびれをストッパー（５）として入れることで、適度に外筒（マイクロチューブ）が鍼を固定している。これにより、適度にフィットした外筒（マイクロチューブ）（１）を鍼体（２）に装着することが可能となった。
【実施形態の効果】
【０００７】  この実施形態によれば、刺鍼時に鍼を指でつまみ固定するといった鍼灸師の伝統的な臨床技法を変えることなく、医学的な清潔状態（無菌状態）で鍼治療を実施することが可能となった。外筒（マイクロチューブ）は鍼体にフィットしているため、通常の治療用鍼と比べても大きな使用上の違和感は感じられないものである。
また、外筒（マイクロチューブ）によって、鍼体が固定されてもいるため、体内に刺入しやすくなったという特徴も合わせ持つ。
さらに、４０ｍｍの鍼に、２０ｍｍの外筒（マイクロチューブ）を装着すれば、刺入深度は最大２０ｍｍに制限される。これによって、必要以上に体内に深く鍼が刺入されることはなく、安全に鍼治療が施術できるようになった。
【他の実施形態】
【０００８】  図１の外筒（マイクロチューブ）（１）のストッパー（５）は、外筒の外側から均一な外力でくびれを入れたものである。二方向から挟み込むことでストッパーは形成されるが、全方向から円状に外力を加えて形成しても良い。
【図面の簡単な説明】
【０００９】
【図１】  この発明の一実施形態を示す正面図である。  （Ａ）は通常の治療用日本鍼に外筒（マイクロチューブ）（１）を装着した全体図である。さらに、これを各構成部分にわけて示した図が（Ｂ）である。
【図２】  この発明を用いることで、どのように鍼が体内に刺入されていくのかを５段階で図示した。皮膚に対して垂直に（１）〜（４）までを立て固定した後、（３）の頂点を指で弾き切皮を行う。鍼は勢い良く外筒（マイクロチューブ）（１）内をスライドし、体内に刺入される。鍼全体を固定している鍼管（４）を上方から抜き取り、マイクロチューブ（１）を固定し鍼を刺入する。鍼はマイクロチューブ（１）内をスライドし、目的とする体内の深さまで無菌的に刺入される。
【符号の説明】
【００１０】  １  外筒（マイクロチューブ）    ２  鍼体    ３  鍼柄    ４  鍼管
５  外筒（マイクロチューブ）のストッパー
【図１】
2006026341.tif 000003
【図２】
2006026341.tif 000004
(57)【要約】【課題】味噌汁を作る過程において熱湯の中に味噌（固形状）を小さなスプーンの中で箸をかき混ぜるため不十分に溶いたり、手間がかかった。そこで網目状の隙間のある「おたま」の中で回転するスクリューを備えた器具を提供する。【解決手段】網目状の隙間のある「おたま」（３）の中に、固定板（２）を装着してかつ上段部回転板（１）に連動して下段部回転板（５）のスクリュー（６）が回転するため味噌（固形状）はかき混ざり液化していく。【選択図】  図１、
2006026350.tif 000002
【特許請求の範囲】
【請求項１】
お味噌（固形状）を溶かすための手動式スクリュー付き溶かし機
【発明の詳細な説明】
【技術分野】
【０００１】本発明は、みそ汁を作る過程において味噌を溶かすのに十分に溶かし、且つ手間のかからない作業を実現できる器具。
【背景技術】
【０００２】従来は、熱湯の鍋の中で味噌を溶かすのに小さなスプーンの中で箸を回して溶かしているため十分に溶けない又は固形状態でスプーンから落ちてみそ汁を作っていた。
【発明の開示】
【発明が解決しようとする課題】
【０００３】そこで本発明は、これらの欠点をなくすために簡単に且つ十分に溶けるようにすることを課題とする。
【課題を解決するための手段】
【０００４】上記課題を解決するために請求項１記載の手動式スクリュー付き溶かし機は、編み目状に隙間のある「おたま」の中に上蓋が回転して連動するスクリューが回転しながら熱湯の鍋の中でかき混ざる。
【発明の効果】
【０００５】本発明は次のような効果を奏する。
（イ）網目状に隙間のある「おたま」の中に味噌を入れることにより固形物（味噌）は鍋底に落ちることがない。
（ロ）上蓋の回転動作に連動してスクリューが回るため回転周期が安定している。
（ハ）固形物（味噌）を溶かすために「おたま」の中でスクリューが回転することにより固形物（味噌）はスクリューと編み目状の隙間のある「おたま」の間で液体になるまでかき混ざる。
【発明を実施するための最良の形態】
【０００６】以下、本発明の実施例について説明する。
（イ）上蓋の構造は固定板（２）を挟んだ上下の回転板を設ける。
固定板（２）の役目を果たす必要があるため、中心部に回転軸（４）を通す穴を設け、また「おたま」（３）との連結を開閉する金具（８）で施す。
上下の回転板は回転軸（４）で連結する。
上部の回転板（１）には、円心部に離れた部位に手を握るハンドル（７）を設ける。
下部の回転板（５）には、「おたま」（３）のサイズに合うスクリュー（６）を設ける。
固定板（２）と「おたま」（３）は開閉する金具（８）で連結する。
（ロ）「おたま」（３）の構造は細かな網目状の隙間がある必要性がある。
上蓋との接地面が近ければ近いほど固形物を溶かすのに有効。
本案を使用する時は「おたま」（３）の中に味噌（固形）を入れて上蓋を閉めて熱湯の中に浸す。
ハンドル（７）を回すことでスクリュー（６）が連動して味噌（固形状）をかき混ぜて液化する。
「上蓋」、「おたま」の素材はプラスチック、金属、木製でもよい。
【図面の簡単な説明】
【０００７】
【図１】本発明の斜視図である。
【０００８】
【図２】本発明の一部を切り欠いた側面図である。
【０００９】
【図３】本発明の底部から眺めた図。
【符号の説明】
【００１０】１上部回転板  ２固定板  ３網目状に隙間のある「おたま」  ４回転軸  ５下部回転板  ６スクリュー  ７ハンドル  ８開閉する金具
【図１】
2006026350.tif 000003
【図２】
2006026350.tif 000004
【図３】
2006026350.tif 000005
(57)【要約】【目的】大腸内視鏡の挿入を容易とし、大腸内視鏡の回腸、腔腸までの挿入を可能とする。【構成】本発明は大腸内視鏡用シースの内部を空洞とした空洞シース１を注入管３と連結し、周囲に注入管から送られてくる空気圧、もしくはオイル等の液体の圧によって伸び縮み出来る伸展脚２を取り付け、伸展脚が伸び縮みする事で大腸内視鏡ファイバーを通すシース事体をさらに大腸の奥へ、奥へと移動させる事を可能にしたものであり、大腸内視鏡ファイバーの先端にリング状のストッパーを設けシースを大腸内視鏡ファイバーの先端より前方へ行かない様にすることで大腸内視鏡ファイバーそのものを一緒に奥へ進める事が出来、大腸内視鏡の挿入を容易とし、回腸、腔腸までの挿入を可能とした大腸内視鏡挿入用伸展脚式移動シースである。又、同様のシースを注入管で連結する事で前進の為の推進力を増す事が可能であり、内部は外部より遮断された構造で衛生を保つ事が出来る。【選択図】図６
2006026344.tif 000002
【特許請求の範囲】
【請求項１】
大腸内視鏡シースの周囲に注入管より送られてくる空気圧、もしくはオイル等の液体の圧によって伸び縮み出来る伸展脚を取り付け奥へ前進してゆく事を可能とした大腸内視鏡シースであり、大腸内視鏡ファイバーの先端にストッパーを設けシースを大腸内視鏡ファイバーの先端より前方へ行かない様にすることで大腸内視鏡ファイバーそのものを一緒に奥へ進める事が出来る大腸内視鏡挿入用の移動式のシースである。
【発明の詳細な説明】
【発明の詳細な説明】
【０００１】  本発明は大腸内視鏡用のシースの周囲に空気圧、もしくはオイル等の液体の圧によって伸び縮み出来る伸展脚を取り付け、大腸内視鏡ファイバーを通すシース事体をさらに奥へ、奥へと移動させる事を可能にしたものであり、大腸内視鏡ファイバーの先端にリング状のストッパーを設けシースを大腸内視鏡ファイバーの先端より前方へ行かない様にすることで大腸内視鏡ファイバーそのものを一緒に奥へ進める事が出来、回腸、腔腸までの挿入を可能とできる。
【０００２】従来より大腸内視鏡ファイバーの挿入は熟練の医師ですら時間を要し、患者に少なからず苦痛を強いるものとなっている。理由は大腸内視鏡ファイバーをある程度の力で外から押したり引っ張ったりしなければ奥へは進めない部位が少なからず存在するからであり、外から加える力が大腸内視鏡ファイバーの先端に伝えずらい事が原因となっている。近年ダブルバルーン式のファイバーが開発され小腸までの観察が可能となっているが、一般の大腸カメラ検査より遥かに長い時間と苦痛を患者に強いるものとなっていて、操作が煩雑で、外からの外力をかなり要し、ファイバーの進行に難渋している。
【０００３】本案はそれらの問題を解決する為に発案されたものであり、図面について説明すれば、本案のシース内部は空洞となっていて空気もしくはオイル等の液体で満たされており、注入管３を通して空気もしくはオイル等の液体が陽圧で送られてくると、その圧によりシース空洞部５に連結したスライデング筒４が伸展し、逆に注入管３より陰圧で引くとスライデング筒４は縮む。スライデング筒４は伸展性に富む弾性ゴ厶で密閉状態で覆われて伸展脚２を形成し内部は外部と遮断されており、スライデング筒４の伸び縮みに合わせて伸展脚２が自由に伸び縮みする事ができる。伸展脚２の伸び縮みにより空洞シース筒１をさらに大腸の奥へ、奥へと移動させる事が可能であり、大腸内視鏡ファイバーの先端にリング状のストッパーを設け空洞シース筒１を大腸内視鏡ファイバーの先端より前方へ行かない様にすることで大腸内視鏡ファイバーそのものを一緒に奥へ進める事が出来、回腸、腔腸までの挿入を可能とできる。又、同様のシースを注入管３で連結する事で前進の為の推進力を増す事が可能である。
【０００４】この様な構造であるから本案の伸展脚式移動シースは大腸内視鏡ファイバーの挿入手技を容易とし回腸、腔腸までの挿入を可能とできる。本案の伸展脚式移動シースの内部は外部とは遮断された構造であり、大腸内視鏡ファイバーと同様に洗浄して使用する事が出来る。
【図面の簡単な説明】
【図１】本案の平面図。
【図２】本案の側面図。
【図３】本案の正面図。
【図４】本案の背面図。
【図５】本案伸展脚部の拡大断面図。
【図６】本案の斜視図。
【符号の説明】
１空洞シース筒
２伸展脚
３注入管
４スライデング筒
５シース空洞部
【図１】
2006026344.tif 000003
【図２】
2006026344.tif 000004
【図３】
2006026344.tif 000005
【図４】
2006026344.tif 000006
【図５】
2006026344.tif 000007
【図６】
2006026344.tif 000008
(57)【要約】      （修正有）【課題】弁当、折詰等の中に入っている調味料小出し容器を食品の水分、汁、油等で指を汚すことなく、調味料を取り出すことの出来る調味料小出し容器を提供する。【解決手段】蓋の上部凸部７を箸８で挟んで持ち上げ、上部凸部７を箸８で強く挟むと、蓋の可動部４はＶカット３の所で曲げられ、円柱状突起５は蓋の凹み部６の作る孔から流出して食物に調味料を振りかけることができる。【選択図】図１
2006026359.tif 000002
【特許請求の範囲】
【請求項１】
調味料の小出し容器の身（１）に調味料（醤油、ソ−ス、ポン酢等）を充填し、蓋の嵌めこみ部（２）を身（１）に嵌めこみ、蓋の可動部（４）を下へ押して、円柱状突起（５）を嵌めこみ部（２）の両端にある凹み部（６）い挿入して調味料が漏れないように密封する。
この状態で弁当、折詰等の食物（主として副食物）の中に入れておき、食事する時には蓋の上部凸起（７）を箸（８）で挾んで持ち上げ、次に上部凸起（７）を強く挾むと蓋の円柱状凸起（５）は凹み部（６）から外れ、食物に調味料を振りかけることができ、食物の水分、汁、油等で指を汚すことなく調味料を使用することができことを特徴とし、箸を利用して使用するすべての調味料小出し容器。
【発明の詳細な説明】
【発明の詳細な説明】
【技術分野】
【０００１】  本発明は弁当、折詰等で使用される醤油、ソ−ス等の調味料の小出し容器に関するものである。
【背景技術】
【０００２】  従来、弁当、折詰等の食物の中に入っている醤油、ソ−ス等の調味料の小出し容器を取り出して、調味料を食物に振り掛けようとする時に、小出し容器に付着している水分、汁、油等で指が汚れるという欠点があった。
【発明が解決しょうとする課題】
【０００３】  従来の調味料小出し容器は弁当、折詰等の食物（主として副食物）の中に入れてあり、食事に際しては、小出し容器を指でつまんで調味料を取り出すために必ず指が汚れ、不快であった。
指を汚さないで調味料を取り出すことが望まれていた。
【課題が解決するための手段】
【０００４】  蓋の上部凸部（７）を箸（８）で挾んで持ち上げ、上部凸部（７）を箸（８）で強く挾むと、蓋の可動部（４）はＶカット（３）の所で曲げられ、円柱状突起（５）は蓋の凹み部（６）の作る孔から流出して食物に調味料を振りかけることができ、食物の水分、汁、油等で指を汚すことなく調味料を使用することが可能になる。
【発明の実施形態】
【０００５】調味料が充填された小出し容器を弁当、折詰等の食物の中に入れておき、食事に際しては、調味料は、調味料小出し容器の蓋の上部凸部を箸で挾んで持ち上げ、上部凸部を強く挾むと蓋はＶカット所で曲げられ、円柱状突起が凹み部から外れ、調味料が滴下し、食物の水分、汁、油等で指を汚す事無く調味料を使用することが出来る。
【図面の簡単な説明】
【図１】  調味料小出し容器の蓋の横視図
【図２】  調味料小出し容器の筒状本体（身）
【図３】  調味料小出し容器の蓋の見取り図
【図４】  箸で蓋の上部突起を挾んだ状態を示す見取り図
【図５】  箸で蓋の上部凹起を強く挾み、円柱状凸起が外れ、調味料を滴下している状態を示す見り図
【図１】
2006026359.tif 000003
【図２】
2006026359.tif 000004
【図３】
2006026359.tif 000005
2006026359.tif 000006
【手続補正書】
【提出日】平成16年12月28日(2004.12.28)
【手続補正２】
【補正対象書類名】明細書
【補正対象項目名】全文
【補正方法】変更
【補正の内容】
【発明の詳細な説明】
【技術分野】
【０００１】本発明は弁当、折詰等で使用される醤油、ソース等の調味料の小出し容器に関するものである。
【背景技術】
【０００２】  従来、弁当、折詰等の食物の中に入っている醤油、ソース等の調味料の小出し容器を取り出して調味料を食物に振り掛けようとする時に、小出し容器に付着している水分、汁、油等で指が汚れるという欠点があった。【０００３】
【発明が解決しょうとする課題】
従来の調味料小出し容器は弁当、折詰等の食物（主として副食物）の中に入れてあり、食事に際しては、小出し容器を指でつまんで調味料を取り出すために必ず指が汚れ、不快であった。
指を汚さないで調味料を取り出すことが望まれていた。
【課題が解決するための手段】
【０００４】  蓋の上部凸部（７）を箸（８）で挾んで持ち上げ、上部凸部（７）を箸（８）で強く挾むと、蓋の可動部（４）はＶカット（３）の所で曲げられ、円柱状突起（５）は蓋の凹み部（６）の作る孔から流出して食物に調味料を振りかけることができ、食物の水分、汁、油等で指を汚すことなく調味料を使用することが可能になる。
【発明の実施形態】
【０００５】調味料が充填された小出し容器を弁当、折詰等の食物の中に入れておき、食事に際しては、調味料  は、調味料小出し容器の蓋の上部凸部を箸で挾んで持ち上げ、上部凸部を強く挾むと蓋はＶカット所で曲げられ、円柱状突起が凹み部から外れ、調味料が滴下し、食物の水分、汁、油等で指を汚す事無く調味料を使用することが出来る。
【図面の簡単な説明】
【０００６】
【図１】  調味料小出し容器の蓋の横視図
【図２】  調味料小出し容器の筒状本体（身）
【図３】  調味料小出し容器の蓋の見取り図
【図４】  箸で蓋の上部突起を挾んだ状態を示す見取り図
【手続補正３】
【補正対象書類名】図面
【補正対象項目名】全図
【補正方法】変更
【補正の内容】
【図１】
2006026359.tif 000007
【図２】
2006026359.tif 000008
【図３】
2006026359.tif 000009
【図４】
2006026359.tif 000010